(57)【要約】【課題】      バッグ本体とフード体とが簡単に外れず、ジッパーも簡単に引き解かれず、クラブも外に落としにくく盗み取られにくいゴルフバッグを提供する。【解決手段】  フード体１とバッグ本体２のうちその開口縁が外開口縁になっているものには重合帯に沿って一連の通孔５３が設けられ、その開口縁が内開口縁になっているものは重合帯に沿って一連の環状体５１が対応した通孔５３から突出され、フード体１とバッグ本体２との連結が、一連の通孔５３から突出した一連の環状体に紐体を挿通した後、この紐体の両端部を固定することによって行われる。【選択図】        図１ 
0003110884.tif 000002
【実用新案登録請求の範囲】
【請求項１】
下へ開口したフード体と上へ開口したバッグ本体とが各開口縁の一方を外開口縁とし他方を内開口縁として全周に亘り重合帯をなすように上下連結され、且つ、前記フード体にはさらに別の開閉可能な開口が設けられているゴルフバッグにおいて、
前記外開口縁には前記重合帯に沿って一連の通孔が設けられ、前記内開口縁の外周面には前記重合帯に沿って前記一連の通孔と対応した一連の環状体が設けられ、これら一連の環状体が前記一連の通孔から外に突出し、且つ
前記外開口縁に設けられた一連の通孔から突出する一連の環状体に挿通した紐体の両端部を固定することで、前記フード体とバッグ本体との連結が行われるゴルフバッグ。
【請求項２】
下へ開口したフード体と上へ開口したバッグ本体とが各開口縁の一方を外開口縁とし他方を内開口縁として全周に亘り重合帯をなすように上下連結され、且つ、前記フード体にはさらに別のジッパー付き開口が設けられ、ジッパー付き開口が閉鎖された時には前記ジッパーの通孔付き引き手手段が前記重合帯の面上に位置するように構成されているゴルフバッグにおいて、
前記外開口縁には前記重合帯に沿って一連の通孔が設けられ、前記内開口縁の外周面には前記重合帯に沿って前記一連の通孔と対応した一連の環状体が設けられ、これら一連の環状体が前記一連の通孔から外に突出し、且つ
前記引き手手段の通孔と、前記外開口縁に設けられた通孔から突出した一連の環状体とに通した紐体の両端部を固定することで、前記フード体と前記バッグ本体との連結が行われるゴルフバッグ。
【請求項３】
前記外開口縁の外表面に、施解錠可能であって施錠時には前記紐体の両端部を係止固定することが可能な錠が設置固定されている請求項２に記載のゴルフバッグ。
【請求項４】
前記フード体の開口縁が外開口縁になり、前記バッグ本体の開口縁が内開口縁になっている請求項３に記載のゴルフバッグ。
【請求項５】
前記錠はキーで解錠可能であり、且つ、前記バッグ本体の外表面には前記キー及び前記紐体を収納することが可能な収納袋が設置されている請求項３または４に記載のゴルフバッグ。
【請求項６】
前記外開口縁の外表面に伸縮装置が設けられており、且つ、前記紐体の両端部がこの伸縮装置から突出し、前記紐体が外の方向へ引っ張られると内へ縮む付勢力が発生するように前記紐体が前記伸縮装置の内部に巻き込まれている請求項３〜５のいずれか一項に記載のゴルフバッグ。
【請求項７】
前記引き手手段は、前記ジッパーに沿って摺動してそれを開閉する引き手本体と、該引き手本体に前記重合帯までぶら下がるように取り付けられている通孔付きの金具とからなっている請求項３〜６のいずれか一項に記載のゴルフバッグ。
【考案の詳細な説明】
【技術分野】
【０００１】
本考案は、ゴルフバッグに関し、より詳しくは、下へ開口したフード体と上へ開口したバッグ本体とが各開口縁の一方を外開口縁とし他方を内開口縁として互いに重なるように上下連結されてなり、且つ、前記フード体にはさらに別の開閉可能な開口が設けられているゴルフバッグに関する。
【背景技術】
【０００２】
従来のゴルフバッグは、通常、図７に示したように、上側にあって下へ開口したフード体１と、下側にあって上へ開口したバッグ本体２とから、スナップボタン１２，２２で、それぞれの開口縁１１，２１が一方を外開口縁、他方を内開口縁として互いに重なるように上下着脱自在に連結されてなり、且つ、前記フード体２には更に別の、開閉可能なジッパー１４付き開口１３が設けられている。このゴルフバッグは、使用中、スナップボタン１２，２２の全部を解いてフード体１全体をバッグ本体２上から取り外したり、またはスナップボタン１２，２２の一部だけを解いてフード体１をバッグ本体２の一側に翻してから当該一側にぶら下げたりしてゴルフクラブ（以下、単にクラブと称する）を中から引き出したり、中へ差し込んだりすることができる。また、使用中ではなく、単に必要に応じ中から一本か二本のクラブを引き出そうとする場合には、スナップボタン１２，２２を一つも解かずフード体１がバッグ本体２上に完全に連結されているまま、ジッパー１４だけをその引き手手段１４２を介して引き解くことで済む。しかし、このような構造では、フード体１が、使用中のバッグ本体２の一側にぶら下げられている状態にあっても、運搬中のバッグ本体２上に完全に連結されている状態にあっても、少し引っ張られると、バッグ本体２から離脱して失われてしまう可能性が大きい。
【０００３】
図８に示されているものは、市販の、別のゴルフバッグである。このゴルフバッグは、前記ゴルフバッグの構造に、さらにフード体１をバッグ本体２に連結するピン３３などの固定手段３１，３２，３３を付け加えてある。ここでは、フード体１とバッグ本体２との連結を着脱自在なスナップボタン１２，２２だけでなくピン３３でも強化してある。よって、運搬中にバッグ本体２上に連結されているフード体１が不意に引っ張られて失うことを防止できる。しかし、使用前後にピン３３を引き出したり挿し戻したりしなければならず、ピン３３の収納・紛失等の問題もある。さらに、ピン３３を挿し戻そうとする時、バッグ本体２内に入っているクラブに邪魔されて挿し戻しにくいという欠点もある。なお、ピン３３が着脱自在なものであるため、運搬中などに不意に脱着してフード体１やクラブを落としたりする可能性があり、この可能性を解消するために、図示のように、錠３４が付設されたものもある。しかし、ジッパー１４も容易に解かれるので、ピン３３に錠３４がかけられても、やはりクラブを不意に落とすという欠点が完全に解消されず、また、この開閉容易なジッパー１４にも、図７に示されているゴルフバッグと同様に、運搬中固有の欠点が残っている。
【考案の開示】
【考案が解決しようとする課題】
【０００４】
上述した種々の欠点に鑑み、本考案は、バッグ本体とフード体との間の連結が強まって簡単には外れないゴルフバッグを提供することを第１の目的とする。
【０００５】
本考案は、フード体をバッグ本体に連結する際、バッグ本体内に入っているクラブに邪魔されず、且つ、従来のように取り外されたピンの収納・紛失問題もないゴルフバッグを提供することを第２の目的とする。
【０００６】
本考案は、バッグ本体とフード体との間の連結構造が連結時に閉鎖時のジッパーをも固定し、簡単に引き解かれないようにするゴルフバッグを提供することを第３の目的とする。
【０００７】
本考案は、バッグ本体とフード体との間の連結構造が連結時に閉鎖時のジッパーと共にロックされ、バッグ本体内のクラブを外に落としにくく、且つ盗み取られにくくするゴルフバッグを提供することを第４の目的とする。
【課題を解決するための手段】
【０００８】
上記各目的を達成するために、本考案によるゴルフバッグは、実用新案登録請求の範囲に記載の構成を特徴とする。具体的には、以下の通りである。
【０００９】
すなわち、上記第１の目的と第２の目的とを達成するために、本考案の第１の特徴構成は、下へ開口したフード体と上へ開口したバッグ本体とが各開口縁の一方を外開口縁とし他方を内開口縁として全周に亘り重合帯をなすように上下連結され、且つ、前記フード体にはさらに別の開閉可能な開口が設けられているゴルフバッグにおいて、前記外開口縁には前記重合帯に沿って一連の通孔が設けられ、前記内開口縁の外周面には前記重合帯に沿って前記一連の通孔と対応した一連の環状体が設けられ、これら一連の環状体が前記一連の通孔から外に突出し、且つ、前記外開口縁に設けられた一連の通孔から突出する一連の環状体に挿通した紐体の両端部を固定することで、前記フード体とバッグ本体との連結が行われることにある。
【００１０】
この構成によれば、前記フード体とバッグ本体との間の連結は、前記外開口縁に設けられた一連の通孔から突出した一連の環状体に紐体を挿通し、この紐体の両端部を固定して行う。従って、フード体がバッグ本体に強固に結び付けられ、引っ張られても、バッグ本体から容易には外れない。また、フード体をバッグ本体に連結する際、バッグ本体内のクラブに邪魔されない上、ピンの収納・紛失等の問題もないという効果もある。
【００１１】
また、上記第３の目的を達成するために、本考案の第２の特徴構成は、下へ開口したフード体と上へ開口したバッグ本体とが各開口縁の一方を外開口縁とし他方を内開口縁として全周に亘り重合帯をなすように上下連結され、且つ、前記フード体にはさらに別のジッパー付き開口が設けられ、ジッパー付き開口が閉鎖された時には前記ジッパーの通孔付き引き手手段が前記重合帯の面上に位置するように構成されているゴルフバッグにおいて、前記外開口縁には前記重合帯に沿って一連の通孔が設けられ、前記内開口縁の外周面には前記重合帯に沿って前記一連の通孔と対応した一連の環状体が設けられ、これら一連の環状体が前記一連の通孔から外に突出し、且つ、前記引き手手段の通孔と、前記外開口縁に設けられた通孔から突出した一連の環状体とに通した紐体の両端部を固定することで、前記フード体と前記バッグ本体との連結が行われることにある。
【００１２】
この構成によれば、前記フード体と前記バッグ本体との間の連結は、前記引き手手段の通孔と、前記外開口縁に設けられた通孔から突出した一連の環状体とに紐体を通し、この紐体の両端部を固定して行う。従って、第１の特徴構成によるゴルフバッグと同様にフード体がバッグ本体に強固に結び付けられる等の効果に加え、閉鎖時のジッパーもフード体と共に強固に固定されるという効果がある。
【００１３】
また、上記第４の目的を達成するために、本考案のゴルフバッグの第３の特徴構成は、前記第２の特徴構成によるものに加えて、前記外開口縁の外表面に、施錠及び解錠可能であって、施錠時には前記紐体の両端部を係止固定することができる錠が設置固定されていることにある。
【００１４】
この特徴構成によれば、バッグ本体とフード体との間の連結時には、閉鎖時のジッパーがこれらと共にロックされる。従って、バッグ本体内のクラブを落としにくく、且つ盗み取られにくくなるという効果がある。
【００１５】
その他の特徴構成、及びその特徴構成から奏する有利な点や作用効果については、添付図面を参照しながら以下に説明する。
【考案を実施するための最良の形態】
【００１６】
以下、本考案にかかる実施形態を添付の図面を参照して詳細に説明する。なお、以下の説明には、類似した部材について同一の符号を付与する。
【００１７】
［第１実施形態］
図１は、本考案のゴルフバッグにかかる第１の実施形態を説明した斜視図である。図２は、図１のゴルフバッグのフード体がバッグ本体に連結された状態を示す斜視図である。図１、２に示すように、この実施形態では、上にあって下へ開口したフード体１と下にあって上へ開口したバッグ本体２とが、それぞれの開口縁１１，２１が外開口縁及び内開口縁として互いに重なって全体を一周りした重合帯１２１をなすように上下連結されてあり、且つ、前記フード体１に開閉可能な開口１３が設けられている。
【００１８】
前記開閉可能な開口１３に沿って、ジッパー１４が設けられている。該ジッパー１４が閉じられると、前記開口１３が閉鎖状態になって、通孔１４３付き引き手手段１４２が前記重合帯１２１の面上に位置する。バッグ本体２は、クラブなどを選び取るためにクラブのヘッドが突出するように収納することができる。
【００１９】
また、外開口縁になったフード体１の開口縁１１には前記重合帯１２１に沿って一連の通孔５３が設けられ、内開口縁２１になったバッグ本体２の開口縁２１の外周面には、前記重合帯１２１に沿って前記一連の通孔５３と対応した一連の環状体５１が設けられている。フード体１をバッグ本体２に連結するためには、フード体１とバッグ本体２とを互いに近づけて各環状体５１を各通孔５３から外に突出させ、紐体６を、突出後の環状体５１に通して重合帯１２１を一回りさせた後、紐体６の両端部６１を固定すればよい。このようにすれば、フード体１とバッグ本体２との間の連結が強められて簡単に外れなくなる。
【００２０】
フード体１とバッグ本体２とが連結されてジッパー１４が閉じられた場合、その中が閉鎖な空間になってクラブ全体を外界から遮蔽して保護することができる。一方、前記の状態でジッパー１４が引き解かれると、その空間が開放状態になって、フード体１とバッグ本体２とが連結されたまま収納したクラブなどを引き出したり差し込んだりすることができるようになる。もちろん、ゴルフをしている時、フード体１をバッグ本体２の側部にぶら下げようとする場合には、バッグ本体２のいずれか一側にある一部の環状体５１及び通孔５３を使用して紐体６で固定するだけでよい。
【００２１】
図３は、第１実施形態のもう一つの応用方法を説明するための斜視図である。この応用方法の前記の例と異なる点は、フード体１とバッグ本体２とを互いに近づけて環状体５１が通孔５３を内から外に通して突出させ、紐体６を、閉鎖時のジッパー１４の引き手手段１４２の通孔１４３と、前記各通孔５３から外に突出した環状体５１とに通して重合帯１２１を一回りさせた後、紐体６の両端部６１を固定する点にある。このようにすれば、フード体１がバッグ本体２に強固に結び付けられるだけではなく、閉鎖時のジッパー１４もフード体１と共に強固に固定されるので、簡単に引き解かれ難くすることができる。
【００２２】
さらに、前記紐体６の両端部６１を固定することについて、本実施形態では、図２に示すように錠４によって行うので、ジッパー１４が引き解かれてクラブが盗まれるのを防止することができる。なお、この実施形態における錠４は、外開口縁になったフード体１の外表面に設置固定されていて、キー４１で施解錠することができ、且つ、施錠時には前記紐体６の両端部６１を係止固定することができる。
【００２３】
また、図示のように、バッグ本体２の外表面に収納袋７が設けられており、この収納袋７はキー４１及び紐体６などを収納するためのものである。もちろん、この収納袋７はフード体１に設置されても構わない。
【００２４】
なお、この錠４の代りに、図４に示す第１実施形態の変形例における暗証番号式錠４Ａも、市販されている種々の錠も使用可能であるが、その構造に関しては詳細な説明を省略する。
【００２５】
前記実施形態では、フード体１の開口縁１１を外開口縁にし、バッグ本体２の開口縁２１を内開口縁にしてあるが、それに反して、フード体１の開口縁１１を内開口縁にし、バッグ本体２の開口縁２１を外開口縁にしても良い。その場合、一連の通孔はバッグ本体２の開口縁２１に設け、一連の環状体はフード体１の開口縁１１の外周面に設けなければならない。つまり、一連の通孔５３は必ず外開口縁に設けなければならず、環状体５１は内開口縁の外周面に設けなければならない。（この段の説明は以下の実施形態についても同じ。）
【００２６】
［第２実施形態］
図５は、本考案のゴルフバッグにかかる第２の実施形態の上から見た部分横断面図である。この実施形態の第１の実施形態と異なるところは、外開口縁２１の外表面に伸縮装置８が設けられており、且つ、紐体６の両端部から突出し、且つ、紐体６が外の方向へ引っ張られると内へ縮む付勢力が発生するように前記紐体６が伸縮装置８の内部に巻き込まれている点にある。もちろん、この伸縮装置８は、前記一連の通孔と同様に、必ずフード体１及びバッグ本体２のうちその開口縁が外開口縁になったものの外表面に設けられていなければならない。
【００２７】
［第３実施形態］
図６は、本考案のゴルフバッグにかかる第３の実施形態の斜視図である。図示のように、この実施形態における引き手手段１４２はジッパー１４に沿って摺動してそれを開閉する引き手本体１４２Ａと、該引き手本体１４２Ａに重合帯１２１までぶら下がるように取り付けられている通孔１４２Ｃ付きの金具１４２Ｂとからなっている。ここでは、通孔１４２Ｃ付きの金具１４２Ｂとして、チェーンが配設されている。このような構造の金具１４２Ｂは、ジッパー１４が閉じられた後、その引き手（この実施形態においては、引き手本体１４２Ａを指す）と環状体５１の間に、上下の高さに段差が出てきた場合に使われる。これにより、チェーンの一つの通孔を金具１４２Ｂの通孔１４２Ｃとして、紐体６を通し、ジッパー１４が閉じられた状態を保持することができる。
【００２８】
以上、実施形態に基づいて詳細に説明したが、本考案はこれらの実施形態に限定されない。本考案の特徴と目的の範囲内に種々の変形や変更が可能である。
【産業上の利用可能性】
【００２９】
本考案は、一般のゴルフバッグに適用可能なものであり、簡単な構造で従来のゴルフバッグのようにフード体とバッグ本体との連結が容易に解かれたり、クラブを盗み取られたりし易いという欠点を完全に解決することができる。
【図面の簡単な説明】
【００３０】
【図１】本考案のゴルフバッグにかかる第１実施形態を説明した斜視図
【図２】図１のゴルフバッグにおけるフード体がバッグ本体に連結された状態の斜視図
【図３】第１実施形態のもう一つの応用方法を説明するための斜視図
【図４】第１実施形態の変形例の斜視図
【図５】本考案のゴルフバッグにかかる第２実施形態の上から見た部分横断面図
【図６】本考案のゴルフバッグにかかる第３実施形態の斜視図
【図７】従来のゴルフバッグの一例を示す斜視図
【図８】従来のゴルフバッグの他の例を示す斜視図
【符号の説明】
【００３１】
１                      フード体
２                      バッグ本体
４                      錠
４Ａ                    暗証番号式錠
６                      紐体
７                      収納袋
８                      伸縮装置
１１、２１              開口縁
１３                    開口
１４                    ジッパー
４１                    キー
５１                    環状体
５３                    開口縁の通孔
６１                    紐体の両端部
１２１                  重合帯
１４２                  引き手手段
１４２Ａ                引き手本体
１４３                  引き手手段の通孔
【図１】
0003110884.tif 000003
【図２】
0003110884.tif 000004
【図３】
0003110884.tif 000005
【図４】
0003110884.tif 000006
【図５】
0003110884.tif 000007
【図６】
0003110884.tif 000008
【図７】
0003110884.tif 000009
【図８】
0003110884.tif 000010